(57)【要約】【課題】全体構造の小型化を図るのに適した圧電発振器を提供する。【解決手段】内部に圧電振動素子５を収容している矩形状の容器体１を支持基体６上に固定させるとともに、該支持基体６の下面に、圧電振動素子５の発振周波数に対応した発振信号を出力するＩＣ素子７と、前記支持基体６の下面外周に沿って配された金属ポストから成る実装脚部１２とを取着させてなる圧電発振器であって、前記ＩＣ素子７を、外周部が前記支持基体６の外周部まで延在された樹脂材１３で被覆するとともに、前記実装脚部１２の少なくとも内側側面を下部領域が上部領域よりも実装脚部１２の重心側に位置するよう傾斜せしめ、該傾斜面に前記樹脂材１３の延在部を被着させる。【選択図】図１
2005244925.tif 000002
【特許請求の範囲】
【請求項１】
内部に圧電振動素子を収容している矩形状の容器体を支持基体上に固定させるとともに、該支持基体の下面に、圧電振動素子の発振周波数に対応した発振信号を出力するＩＣ素子と、前記支持基体の下面外周に沿って配された金属ポストから成る実装脚部とを取着させてなる圧電発振器であって、
前記ＩＣ素子を、外周部が前記支持基体の外周部まで延在された樹脂材で被覆するとともに、前記実装脚部の少なくとも内側側面を下部領域が上部領域よりも実装脚部の重心側に位置するよう傾斜せしめ、該傾斜面に前記樹脂材の延在部を被着させたことを特徴とする圧電発振器。
【請求項２】
前記実装脚部が前記支持基体下面の四隅部に取着されているとともに、その各々が断面台形状をなしていることを特徴とする請求項１に記載の圧電発振器。
【請求項３】
前記実装脚部の側面がその全周にわたり前記樹脂材の延在部によって被覆されていることを特徴とする請求項１または請求項２に記載の圧電発振器。
【請求項４】
前記圧電振動素子として水晶振動素子が用いられるとともに、前記ＩＣ素子内に前記発振信号を温度状態に応じて補正するための温度補償データが格納されており、前記支持基体の下面に、前記ＩＣ素子に温度補償データを書き込むための金属ポストから成る書込制御端子が外側側面を露出させた状態で取着されていることを特徴とする請求項１乃至請求項３のいずれかに記載の圧電発振器。
【請求項５】
前記書込制御端子が２N個（Nは自然数）設けられており、且つこれら２N個の書込制御端子を、前記支持基体の平行な２辺に沿ってN個ずつ、前記２辺と平行な中心線に対して線対称に配置させたことを特徴とする請求項１乃至請求項４のいずれかに記載の圧電発振器。
【発明の詳細な説明】
【技術分野】
【０００１】
本発明は、通信機器や電子機器等のタイミングデバイスとして用いられる圧電発振器に関するものである。
【背景技術】
【０００２】
従来より、携帯用通信機器等のタイミングデバイスとして温度補償型水晶発振器等の圧電発振器が用いられている。
【０００３】
かかる従来の温度補償型水晶発振器は、例えば図６に示す如く、内部に水晶振動素子が収容されている容器体２３を、上面の中央域に凹部２５を、下面に複数個の外部端子を有した実装用基体２１上に取着させるとともに、前記容器体２１の下面と前記凹部２５の内面とで囲まれる領域内に、水晶振動素子の振動に基づいて発振出力を制御するＩＣ素子２６を収容させた構造のものが知られている（例えば、特許文献１参照。）。
【０００４】
尚、前記容器体２３及び前記実装用基体２１は、通常、アルミナセラミックス等のセラミック材料から成り、その内部及び表面には所定の配線パターンが形成され、従来周知のグリーンシート積層法等を採用することによって製作されている。そして、このような容器体２３の下面や実装用基体２１の上面には、それぞれ対応する箇所に接合電極２４が複数個ずつ設けられており、これらの接合電極２４同士を導電性接合材を介して接合することにより容器体２３が実装用基体２１の上面に固定されていた。
【特許文献１】特開平１０−９８１５１号公報
【発明の開示】
【発明が解決しようとする課題】
【０００５】
しかしながら、上述した従来の圧電発振器においては、実装用基体２１に設けられている凹部２５の内壁がＩＣ素子２６を囲繞するように配されていることから、実装用基体２１の面積が縦方向、横方向のいずれの方向にもＩＣ素子２６より一回り大きくなってしまい、これによって圧電発振器の小型化が困難なものとなっていた。
【０００６】
本発明は上記欠点に鑑み案出されたもので、その目的は、全体構造の小型化を図るのに適した構造の圧電発振器を提供することにある。
【課題を解決するための手段】
【０００７】
本発明の圧電発振器は、内部に圧電振動素子を収容している矩形状の容器体を支持基体上に固定させるとともに、該支持基体の下面に、圧電振動素子の発振周波数に対応した発振信号を出力するＩＣ素子と、前記支持基体の下面外周に沿って配された金属ポストから成る実装脚部とを取着させてなる圧電発振器であって、前記ＩＣ素子を、外周部が前記支持基体の外周部まで延在された樹脂材で被覆するとともに、前記実装脚部の少なくとも内側側面を下部領域が上部領域よりも実装脚部の重心側に位置するよう傾斜せしめ、該傾斜面に前記樹脂材の延在部を被着させたことを特徴とするものである。
【０００８】
また本発明の圧電発振器は、前記実装脚部が前記支持基体下面の四隅部に取着されているとともに、その各々が断面台形状をなしていることを特徴とするものである。
【０００９】
更に本発明の圧電発振器は、前記実装脚部の側面がその全周にわたり前記樹脂材の延在部によって被覆されていることを特徴とするものである。
【００１０】
また更に本発明の圧電発振器は、前記圧電振動素子として水晶振動素子が用いられるとともに、前記ＩＣ素子内に前記発振信号を温度状態に応じて補正するための温度補償データが格納されており、前記支持基体の下面に、前記ＩＣ素子に温度補償データを書き込むための金属ポストから成る書込制御端子が外側側面を露出させた状態で取着されていることを特徴とするものである。
【００１１】
更にまた本発明の圧電発振器は、前記書込制御端子が２N個（Nは自然数）設けられており、且つこれら２N個の書込制御端子を、前記支持基体の平行な２辺に沿ってN個ずつ、前記２辺と平行な中心線に対して線対称に配置させたことを特徴とするものである。
【発明の効果】
【００１２】
本発明の圧電発振器によれば、圧電振動素子を収容している容器体を支持基体上に固定するとともに、該支持基体の下面に、発振出力用のＩＣ素子と、支持基体の下面外周に沿って配された金属ポストから成る実装脚部とを取着させるようにしたことから、支持基体の下面のうち実装脚部が存在しない領域は全てＩＣ素子や他の電子部品素子の搭載に使用することができ、例えば、実装脚部を支持基体の四隅部にのみ設ける場合は、隣接する実装脚部間にＩＣ素子の両端部が配置されるように設計することにより、支持基体の長さをＩＣ素子の長さと略等しくなすことができ、これによって圧電発振器の全体構造を小型化することが可能となる。
【００１３】
これに加えて、実装脚部の側面が樹脂材で被覆されているので、実装脚部を形成する金属ポストの酸化腐食も有効に防止され、圧電発振器の信頼性を高く維持することができるとともに、支持基体に対する実装脚部の取着強度を前記樹脂材でもって補強することができる利点もある。
【００１４】
しかもこの場合、実装脚部の少なくとも内側側面を下部領域が上部領域よりも実装脚部の重心側に位置するよう傾斜せしめたことから、実装脚部と支持基体の下面との成す角度については鈍角となるので、ＩＣ素子を被覆する樹脂材を形成する際に、実装脚部とＩＣ素子との間に硬化前の液状樹脂が流れ込みやすくなり、ＩＣ素子の封止性を高めることができる。
【００１５】
また本発明の圧電発振器によれば、実装脚部が支持基体下面の四角部に取着されているとともに、その各々が断面台形状をなしていることから、実装脚部とＩＣ素子との間に硬化前の液状樹脂が更に流れ込みやすくなり、ＩＣ素子の封止性をより高めることができる。
【００１６】
更に本発明の圧電発振器によれば、実装脚部の側面がその全周にわたり前記樹脂材の延在部によって被覆されていることから、前記ＩＣ素子を樹脂材で被覆するとともに、該樹脂材の外周部を前記支持基体の外周部まで延在させ、この延在部で各実装脚部の側面を被覆するようにしたことから、圧電発振器を半田付け等によってマザーボード等の外部配線基板上に実装する際、圧電発振器と外部配線基板とを接合する半田が金属ポストから成る実装脚部を伝って這い上がって実装脚部間で短絡を発生するといった不具合も有効に防止することができ、取扱いが簡便な圧電発振器を得ることが可能となる。
【００１７】
更にまた本発明の圧電発振器によれば、前記圧電振動素子として水晶振動素子を用いるとともに、前記ＩＣ素子内に前記発振信号を温度状態に応じて補正するための温度補償データを格納し、前記支持基体の下面に、前記ＩＣ素子に温度補償データを書き込むための金属ポストから成る書込制御端子を、外側側面が露出した状態で取着させておくことにより、圧電発振器を組み立てる際、金属ポストから成る書込制御端子を支持基体下面の所定位置に取着させておくだけで圧電発振器を製作することができ、圧電発振器の生産性向上に供することが可能となる。
【００１８】
また更に本発明の圧電発振器によれば、前記書込制御端子を２N個（Nは自然数）設けるとともに、これら２N個の書込制御端子を、前記支持基体の平行な２辺に沿ってN個ずつ、前記２辺と平行な中心線に対して線対称に配置させることにより、２N個の書込制御端子に側方より温度補償データ書込装置のプローブ針を当てて、ＩＣ素子に温度補償データを書き込む際、プローブ針からの力が支持基体の両側よりバランス良く印加されることとなるため、書き込み時に支持基体を良好に保持することができるとともに、プローブ針との接触による偏った応力に起因した書込制御端子の破損を有効に防止することができる。
【発明を実施するための最良の形態】
【００１９】
以下、本発明を添付図面に基づいて詳細に説明する。
【００２０】
図１は本発明の圧電発振器を温度補償型水晶発振器に適用した一実施形態を示す分解斜視図、図２は図１の温度補償型水晶発振器の断面図、図３は図１の温度補償型水晶発振器を下方より見た分解斜視図である。尚、図１及び図３は樹脂材１３を省略して示したものである。
【００２１】
図１〜図３に示す温度補償型水晶発振器は、内部に水晶振動素子５を収容している矩形状の容器体１を支持基体６上に固定させるとともに、該支持基体６の下面に、ＩＣ素子７と、複数個の実装脚部１２とを取着させた構造を有している。
【００２２】
前記容器体１は、例えば、ガラス−セラミック、アルミナセラミックス等のセラミック材料から成る気密性が高い基板２と、４２アロイやコバール，リン青銅等の金属から成るシールリング３と、該シールリング３と同様の金属から成る蓋体４とから成り、前記基板２の上面にシールリング３を取着させ、その上面に蓋体４を載置・固定させることによって容器体１が構成され、シールリング３の内側に位置する基板２の上面に水晶振動素子５が実装される。
【００２３】
前記容器体１は、その内部、具体的には、基板２の上面とシールリング３の内面と蓋体４の下面とで囲まれる空間内に水晶振動素子５を収容して気密封止するためのものであり、基板２の上面には水晶振動素子５の振動電極に接続される一対の搭載パッド等が、基板２の下面には後述する支持基体６の接合電極９に接続される複数個の接合電極８がそれぞれ設けられ、これらの搭載パッド及び接合電極８は基板表面の配線パターンや基板内部に埋設されているビアホール導体，内部配線等を介して、対応するもの同士、相互に電気的に接続されている。
【００２４】
尚、前記容器体１の基板２は、アルミナセラミックスから成る場合、所定のセラミック材料粉末に適当な有機溶剤等を添加・混合して得たセラミックグリーンシートの表面等に配線パターンとなる導体ペーストを従来周知のスクリーン印刷等によって塗布するとともに、これを複数枚積層してプレス成形した後、高温で焼成することによって製作される。
【００２５】
また前記容器体１のシールリング３及び蓋体４は従来周知の金属加工法を採用し、４２アロイ等の金属を所定形状に成形することによって製作され、得られたシールリング３を基板２の上面に予め被着させておいた導体層にロウ付けし、続いて水晶振動素子５を、導電性接着剤を用いて基板２の上面に実装・固定した後、シールリング３の上面に従来周知の抵抗溶接等によって蓋体４を接合することにより容器体１が組み立てられる。このようにシールリング３と蓋体４とを抵抗溶接によって接合する場合、シールリング３や蓋体４の表面にはＮｉメッキ層やＡｕメッキ層等が予め被着される。
【００２６】
一方、前記容器体１の内部に収容される水晶振動素子５は、所定の結晶軸でカットした水晶片の両主面に一対の振動電極を被着・形成してなり、外部からの変動電圧が一対の振動電極を介して水晶片に印加されると、所定の発振周波数で厚みすべり振動を起こす。
【００２７】
前記水晶振動素子５は、一対の振動電極を、導電性接着剤を介して基板上面の対応する搭載パッドに電気的に接続させることによって基板２の上面に搭載され、これにより水晶振動素子５と容器体１との電気的接続、並びに、機械的接続が同時になされる。
【００２８】
ここで容器体１の蓋体４を、容器体１や支持基体６の配線パターン等を介して後述する支持基体下面のグランド用実装脚部１２に接続させておけば、その使用時、蓋体４がアースされてシールド機能が付与されることとなるため、水晶振動素子５や後述するＩＣ素子７を外部からの不要な電気的作用より良好に保護することができる。従って、容器体１の蓋体４は容器体１や支持基体６の配線パターン等を介してグランド用の実装脚部１２に接続させておくことが好ましい。
【００２９】
そして、上述した容器体１が載置・固定される支持基体６は概略矩形状を成しており、下面の外周に沿って複数個の実装脚部１２と複数個の書込制御端子１１とが取着されている。本実施形態において、実装脚部１２は支持基体下面の四隅部に個々に取着・立設されており、隣接する実装脚部１２間には更に２個の書込制御端子１１が近接して並設され、これら４個の実装脚部１２と２個の書込制御端子１１とで囲まれる支持基体下面の中央域にＩＣ素子７が搭載されている。
【００３０】
前記支持基体６は、その上面で先に述べた容器体１を支持するとともに、下面でＩＣ素子７や書込制御端子１１，実装脚部１２等を支持するためのものであり、ガラス布基材エポキシ樹脂やポリカーボネイト，エポキシ樹脂，ポリイミド樹脂等の樹脂材料やガラス−セラミック，アルミナセラミックス等のセラミック材料等によって平板状をなすように形成されている。特に、支持基体６に樹脂材料を採用した場合には、マザーボード等の樹脂材料からなる外部配線基板に実装した際に、外部配線基板と支持基体との熱膨張係数が近くなるので、特に大きな温度変化が繰り返される環境において高い信頼性を有することができる。
【００３１】
また前記支持基体６の下面に取着・立設されている複数個の実装脚部１２は、その各々が銅等の金属材料を少なくとも内側側面を下部領域が上部領域よりも実装脚部の重心側に位置するよう傾斜した四角柱状に成形した金属ポストによって形成されており、その傾斜角度は傾斜面と重心との成す角度が５〜３０°となるように設定されている。このような実装脚部１２は、外部端子としての機能、即ち、温度補償型水晶発振器をマザーボード（図示せず）等の外部配線基板に実装する際、半田付け等によって外部電気回路の配線と電気的に接続されることとなる。
【００３２】
尚、上述した４個の実装脚部１２は、電源電圧端子、グランド端子、発振出力端子、発振制御端子として機能するものであり、これら実装脚部１２の下面には、外部配線基板との接合に用いられる半田等の接合状態を良好となすために、例えば、ニッケルめっきや金めっき等が所定厚みに被着される。
【００３３】
ここで、４個の実装脚部１２のうち、グランド用の実装脚部１２と発振出力用の実装脚部１２を近接させて配置するようにしておけば、発振出力端子より出力される発振信号にノイズが干渉するのを有効に防止することができる。従って、グランド用の実装脚部１２と発振出力用の実装脚部１２を近接配置させておくことが好ましい。
【００３４】
一方、前記支持基体６の下面に取着されるＩＣ素子７としては、例えば、上面に複数個の接続パッドを有した矩形状のフリップチップ型ＩＣ等が用いられ、その回路形成面（上面）には、周囲の温度状態を検知する感温素子（サーミスタ）、水晶振動素子５の温度特性を補償する温度補償データを格納するためのメモリ、温度補償データに基づいて水晶振動素子５の振動特性を温度変化に応じて補正する温度補償回路、該温度補償回路に接続されて所定の発振出力を生成する発振回路等が設けられ、該発振回路で生成された発振出力は、外部に出力された後、例えばクロック信号等の基準信号として利用されることとなる。
【００３５】
また前記ＩＣ素子７は、その両端部が隣接する実装脚部間に配されており、略平行に配されている２個の端面が後述する樹脂材１３により被覆された状態で隣接する実装脚部間より露出している。
【００３６】
具体的には、ＩＣ素子７の露出側面は、容器体１や支持基体６の外周部よりも若干内側、例えば本実施形態においては、支持基体６の外周より１μｍ〜５００μｍだけ内側に、支持基体６の外周部に沿って配されている。この場合、前記ＩＣ素子７の露出側面と直交する方向に係る支持基体６の幅寸法はＩＣ素子７の一辺の長さと略等しくなるよう設計されているため、温度補償型水晶発振器の全体構造を小型に構成することができる。
【００３７】
そしてこのようなＩＣ素子７が配設される支持基体６の下面には、ＩＣ素子７の接続パッドと１対１に対応する電極パッドが設けられており、これらの電極パッドに半田や金バンプ等の導電性接合材を介してＩＣ素子７の接続パッドを接合することによりＩＣ素子７が支持基体６の下面に取着・実装され、これによってＩＣ素子７内の電子回路が容器体１の配線パターンや支持基体６の配線パターン等を介して水晶振動素子５や実装脚部１２等に電気的に接続される。
【００３８】
尚、前記支持基体６は、ガラス布基材エポキシ樹脂から成る場合、ガラス糸を編み込んで形成したガラス布基材にエポキシ樹脂の液状前駆体を含浸させるとともに、該前駆体を高温で重合させることによってベースが形成され、その表面に貼着される銅箔等の金属箔をサブトラクティブ法により、所定パターンに加工することによって上述する側面が傾斜した金属ポストから成る実装脚部１２や配線導体が形成される。
【００３９】
更に、上述したＩＣ素子７は、例えばエポキシ樹脂等から成る樹脂材１３によって被覆されており、該樹脂材１３の外周部は支持基体６の外周部まで延在された上、隣接する実装脚部間の間隙に充填され、その一部は実装脚部１２の側面を被覆するようにして実装脚部１２の表面に被着されている。そしてこの際、上述した実装脚部１２の傾斜面には樹脂材１３の延在部が被着されている。
【００４０】
このように、実装脚部１２の少なくとも内側側面を下部領域が上部領域よりも実装脚部１２の重心側に位置するよう傾斜せしめたことから、実装脚部１２と支持基体６の下面との成す角度については鈍角となるので、ＩＣ素子７を被覆する樹脂材１３を形成する際に、実装脚部１２とＩＣ素子７との間に硬化前の液状樹脂が流れ込みやすくなり、ＩＣ素子７の封止性を高めることができる。
【００４１】
これに加えて本実施形態においては、実装脚部１２の側面が樹脂材１３で被覆されているので、実装脚部１２を形成する金属ポストの酸化腐食が有効に防止され、温度補償型水晶発振器の信頼性を高く維持することができるとともに、支持基体６に対する実装脚部１２の取着強度を前記樹脂材１３でもって補強することができる利点もある。
【００４２】
更に、実装脚部１２が支持基体６下面の四角部に取着されているとともに、その各々が断面台形状をなしていることから、実装脚部１２とＩＣ素子７との間に硬化前の液状樹脂が更に流れ込みやすくなり、ＩＣ素子７の封止性をより高めることができる。
【００４３】
尚、かかる樹脂材１３はＩＣ素子７を保護するためのものであるが、実装脚部１２の側面をその全周にわたり前記樹脂材１３の延在部によって被覆しておけば、温度補償型水晶発振器を半田付け等によってマザーボード等の外部配線基板上に実装する際、温度補償型水晶発振器と外部配線基板とを接合する半田が金属ポストから成る実装脚部１２に付着して短絡を発生するといった不都合が有効に防止されるようになり、取扱いが簡便な温度補償型水晶発振器を得ることができるようになる。
【００４４】
尚、このような実装脚部１２の側面は、全面積の９０％以上を樹脂材１３で被覆しておくことが好ましいものであるが、例えば、実装脚部１２の下端より２５％程度の領域において側面が露出している場合であっても、それ以外の部位が樹脂材１３で被覆されていれば、外部配線基板への実装に際して半田の付着に起因した短絡を発生することは有効に防止されるし、また大気中に含まれている水分等の接触による酸化腐食の影響も殆どない。この場合、実装脚部１２の露出部が半田濡れ性の良好なＮｉ等の金属により形成されていれば、この露出領域において半田のフィレットが形成されて温度補償型水晶発振器の実装強度が向上される利点がある。
【００４５】
また、上述した樹脂材１３を透明材料により形成しておけば、隣接する実装脚部間１２−１２より露出されるＩＣ素子７の側面が樹脂材１３で被覆されていても、支持基体６に対する接合部を直視できることから、製品の検査等に際してＩＣ素子７の接合状態を目視等によって容易に確認することができ、検査の作業性を良好となすことが可能となる。
【００４６】
そして、上述した支持基体６の下面には、ＩＣ素子７に温度補償データを書き込むための書込制御端子１１が複数個、取着されている。
【００４７】
前記書込制御端子１１は、先に述べた実装脚部１２と同様に、銅等の金属材料を柱状に成形した金属ポストによって形成されており、その長さ寸法は、例えば、書込制御端子１１の下端が実装脚部１２の下端よりも上方に位置するようにやや短く形成され、側面の一部を隣接する実装脚部間より露出させるようにして支持基体６の下面に取着される。
【００４８】
これらの書込制御端子１１は、支持基体６のエッジに沿って並設されており、支持基体６の配線パターン等を介してＩＣ素子７に電気的に接続されている。従って、温度補償型水晶発振器を組み立てた後、これらの書込制御端子１１に側方より温度補償データ書込装置のプローブ針を当て、水晶振動素子５の温度特性に応じた温度補償データを書き込むことによってＩＣ素子７のメモリ内に温度補償データが格納される。
【００４９】
このような本実施形態の圧電発振器によれば、書込制御端子１２は、金属ポストから成る書込制御端子１２を支持基体下面の所定位置に取着させておくだけで他の構成要素と一体化されることから、温度補償型水晶発振器の組み立て工程が簡素なものとなっており、温度補償型水晶発振器の生産性向上に供することができる。
【００５０】
またこの場合、上述した樹脂材１３の延在部を書込制御端子１１の下面にも被着させておけば、温度補償型水晶発振器を半田付け等によってマザーボード上に搭載する際に、溶融した半田の一部が書込制御端子１１に接触して短絡を起こすといった不都合が有効に防止されるようになり、温度補償型水晶発振器の取り扱いが簡便なものとなる利点もある。
【００５１】
かくして上述した温度補償型水晶発振器は、マザーボード等の外部配線基板上に半田付け等によって搭載され、ＩＣ素子７の温度補償回路を用いて温度状態に応じた発振周波数の補正を行いながら、水晶振動素子５の発振周波数に対応した所定の発振信号を出力することによって温度補償型水晶発振器として機能する。
【００５２】
尚、本発明は上述の実施形態に限定されるものではなく、本発明の要旨を逸脱しない範囲において種々の変更、改良等が可能である。
【００５３】
例えば、上述した実施形態においては、圧電振動素子として水晶振動素子を用いた水晶発振器を例にとって説明したが、これに代えて、水晶振動素子以外の圧電振動子、具体的には弾性表面波素子等の圧電振動素子を用いて圧電発振器を構成する場合にも本発明は適用可能である。
【００５４】
また上述した実施形態においては、ＩＣ素子７や書込制御端子１１，実装脚部１２等を支持基体６の下面に取着させるのに半田等の一般的な導電性接合材等を用いるようにしたが、これに限られるものではなく、例えば、導電性接合材として異方性導電接着材等を用いるようにしても良く、その場合、支持基体６に対するＩＣ素子７や実装脚部１２等の取着作業が極めて簡単になり、圧電発振器の組立工程が更に簡略化される利点もある。
【００５５】
更に上述した実施形態においては、容器体１の蓋体４を、シールリング３を介して基板２に接合させるようにしたが、これに代えて、基板２の上面に接合用のメタライズパターンを形成しておき、このメタライズパターンに対して蓋体４をダイレクトに溶接するようにしても構わない。
【００５６】
また更に上述した実施形態においては、容器体１の基板上面に直接シールリング３を取着させるようにしたが、これに代えて、基板２の上面に基板２と同材質のセラミック材料等から成る枠体を一体的に取着させた上、該枠体の上面にシールリング３を取着させるようにしても構わない。
【００５７】
更にまた上述した実施形態において、例えば図４（樹脂材１３は省略して示す。）に示す如く、隣接する実装脚部間１２−１２に位置する支持基体６の下面にＩＣ素子以外の電子部品素子、例えば、ノイズ除去用のチップ状コンデンサ１４等を配置させるようにしても良く、この場合、支持基体下面の空いた領域がより有効に活用されることとなるため、圧電発振器の更なる小型化が可能である
また更に上述した実施形態においては、複数個の書込制御端子１１を支持基体６の１辺に沿って一列に配置させるようにしたが、これに代えて、例えば図５（樹脂材１３は省略して示す。）に示す如く、書込制御端子１１を２N個（Nは自然数）設けるとともに、これら２N個の書込制御端子１１を、支持基体６の平行な２辺に沿ってN個ずつ、前記２辺と平行な中心線に対して線対称に配置させるようにしても良い。この場合、２N個の書込制御端子１１に側方より温度補償データ書込装置のプローブ針を当てて、ＩＣ素子に温度補償データを書き込む際、プローブ針からの力が支持基体６の両側よりバランス良く印加されることとなるため、書き込み作業中、支持基体６を良好に保持することができるとともに、プローブ針との接触による偏った応力に起因した書込制御端子１の破損を有効に防止することができる。尚、図５においては、Ｎを「２」に設定した例について示したが、Ｎを「２」以外の自然数、例えば「１」、「３」、「４」、「５」等に設定しても良いことは言うまでもない。
【図面の簡単な説明】
【００５８】
【図１】本発明の圧電発振器を温度補償型水晶発振器に適用した一実施形態を示す分解斜視図である。
【図２】図１の温度補償型水晶発振器の断面図である。
【図３】図１の温度補償型水晶発振器を下方より見た分解斜視図である。
【図４】本発明の他の実施形態にかかる圧電発振器を下方より見た分解斜視図である。
【図５】（ａ）は本発明の他の実施形態にかかる圧電発振器を下方より見た分解斜視図、（ｂ）は（ａ）の圧電発振器に温度補償データを書き込むにあたって書込制御端子１１に書込装置のプローブ針１６を当てた状態を示す斜視図である。
【図６】従来の温度補償型水晶発振器の分解斜視図である。
【符号の説明】
【００５９】
１・・・容器体
２・・・基板
３・・・シールリング
４・・・蓋体
５・・・水晶振動素子（圧電振動素子）
６・・・支持基体
７・・・ＩＣ素子
７ａ・・・接続パッド
８、９・・・接合電極
１１・・・書込制御端子
１２・・・実装脚部
１３・・・樹脂材
１４・・・チップ状コンデンサ
【図１】
2005244925.tif 000003
【図２】
2005244925.tif 000004
【図３】
2005244925.tif 000005
【図４】
2005244925.tif 000006
【図５】
2005244925.tif 000007
【図６】
2005244925.tif 000008